(57)【特許請求の範囲】
【請求項１】
第１のチャンバと、
インタフェースにて前記第１のチャンバに接続するように構成された第２のチャンバと、を具備し、
前記第１のチャンバおよび前記第２のチャンバの各々は、前記インタフェースに設けられた移送開口部を有するものであり、
前記第１のチャンバに配置され、前記第１のチャンバを前記第２のチャンバから封止するゲートバルブアセンブリと、
前記第２のチャンバに位置され、この第２のチャンバに隣接するフランジ部分と、このフランジ部分から外側に延びて、前記第１のチャンバの前記ゲートバルブアセンブリと係合するように構成されている正面部分とを備えるインタフェースプレートと、
前記インタフェースにて前記第１のチャンバと前記第２のチャンバとのうちの一方に設置され、低い熱伝導率を有するように構成された絶縁プレートと、をさらに具備し、
前記第１のチャンバと前記第２のチャンバとが共に接続されるときに、前記第１のチャンバと前記第２のチャンバとは、異なる温度で独立して制御されることができ、
前記第１のチャンバと前記第２のチャンバとが互いに接続されるときに、前記絶縁プレートが前記正面部分を取り囲み、前記フランジ部分に隣接して配置され、
前記インタフェースプレートは、前記第２のチャンバから前記ゲートバルブアセンブリまで連続する熱経路を形成し、
前記インタフェースプレートは、前記第１のチャンバを前記第２のチャンバから予め定められた距離に隔てるように構成されているコンタクト部材を具備し、このコンタクト部材は、前記正面部分から前記絶縁プレートより遠い位置で、前記フランジ部分から前記正面部分の側部に平行に延びている、二重チャンバ装置。
【請求項２】
前記第１のチャンバと前記第２のチャンバとのうちの一方に設置された少なくとも１つのアラインメントデバイスと、
前記第１のチャンバと前記第２のチャンバとのうちの他方に設けられ、少なくとも１つのアラインメントデバイスに対応する少なくとも１つのアラインメント孔とをさらに具備する請求項１に記載の二重チャンバ装置。
【請求項３】
前記第１のチャンバと前記第２のチャンバとのうちの一方に設置された少なくとも１つのチャンバ装着デバイスと、
前記第１のチャンバと前記第２のチャンバとのうちの他方に設けられ、少なくとも１つのアラインメントデバイスに対応する少なくとも１つのチャンバ装着孔とをさらに具備する請求項１に記載の二重チャンバ装置。
【請求項４】
前記第１のチャンバは、化学的酸化物除去チャンバであり、前記第２のチャンバは、熱処理チャンバである請求項１に記載の二重チャンバ装置。
【請求項５】
前記絶縁プレートは、前記第２のチャンバに設置されている請求項１に記載の二重チャンバ装置。
【請求項６】
前記第１のチャンバおよび前記第２のチャンバは基本的に排気され、前記第１のチャンバと前記第２のチャンバとの間に生成されるシールは、真空シールである請求項１に記載の二重チャンバ装置。
【請求項７】
前記絶縁プレートは、前記第１のチャンバに設置されている請求項１に記載の二重チャンバ装置。
【請求項８】
前記絶縁プレートは、ポリテトラフルオロエチレンで形成されている請求項１に記載の二重チャンバ装置。
【請求項９】
前記コンタクト部材の表面積は、前記絶縁プレートの表面積より実質的に小さい請求項１に記載の二重チャンバ装置。
【請求項１０】
第１のチャンバおよび第２のチャンバを備えている二重チャンバシステムを製造する方法であって、
前記第１のチャンバと前記第２のチャンバとのうちの一方の移送開口部の周辺に、低い熱伝導率を有するように構成された絶縁プレートを接続させることと、
前記第２のチャンバに隣接するフランジ部分と、このフランジ部分から外側に延びて、前記第１のチャンバのゲートバルブアセンブリと係合するように構成されている正面部分とを備えるインタフェースプレートを前記第２のチャンバに接続させることと、
インタフェースにて前記第１のチャンバを前記第２のチャンバに位置合わせすることと、
前記第１のチャンバを前記第２のチャンバに接続させることと、
前記第１のチャンバと前記第２のチャンバとの間に真空シールを形成することと、
前記第１のチャンバおよび前記第２のチャンバが共に接続されるときに、前記第１のチャンバおよび前記第２のチャンバ内の温度を独立して制御することとを具備し、
前記第１のチャンバと前記第２のチャンバとが互いに接続されるときに、前記絶縁プレートが前記正面部分を取り囲み、前記フランジ部分に隣接して配置され、
前記インタフェースプレートは、前記第２のチャンバから前記ゲートバルブアセンブリまで連続する熱経路を形成し、
前記インタフェースプレートは、前記第１のチャンバを前記第２のチャンバから予め定められた距離に隔てるように構成されているコンタクト部材を具備し、このコンタクト部材は、前記正面部分から前記絶縁プレートより遠い位置で、前記フランジ部分から前記正面部分の側部に平行に延びている、方法。
【請求項１１】
前記第１のチャンバを前記第２のチャンバから予め定められた距離に隔てることをさらに具備する請求項１０に記載の二重チャンバシステムを製造する方法。
【請求項１２】
第１のチャンバと、
前記第１のチャンバにインタフェースにて接続するように構成された第２のチャンバと、を具備し、
前記第１のチャンバおよび前記第２のチャンバの各々は、前記インタフェースに設置された移送開口部を有するものであり、
前記インタフェースにて前記第１のチャンバと前記第２のチャンバとの間に設置され、低い熱伝導率を有するように構成された絶縁プレートと、
前記第１のチャンバを前記第２のチャンバから予め定められた距離に隔てるように構成されたコンタクト部材と、をまた具備し、
このコンタクト部材の表面積は、前記絶縁プレートの表面積より実質的に小さいものであり、
前記第１のチャンバと前記第２のチャンバとのうちの一方に設置された少なくとも１つのアラインメント構造と、
前記第１のチャンバと前記第２のチャンバとのうちの他方に設置され、前記少なくとも１つのアラインメント構造に対応する少なくとも１つの補完的なアラインメント構造と、
前記第１のチャンバに配置され、前記第１のチャンバを前記第２のチャンバから封止するゲートバルブアセンブリと、
前記第２のチャンバに位置され、この第２のチャンバに隣接するフランジ部分と、このフランジ部分から外側に延びて、前記第１のチャンバの前記ゲートバルブアセンブリと係合するように構成されている正面部分とを備えるインタフェースプレートと、をさらに具備し、
前記第１のチャンバと前記第２のチャンバとが互いに接続されるときに、前記絶縁プレートが前記正面部分を取り囲み、前記フランジ部分に隣接して配置され、
前記インタフェースプレートは、前記第２のチャンバから前記ゲートバルブアセンブリまで連続する熱経路を形成し、
前記インタフェースプレートは、前記第１のチャンバを前記第２のチャンバから予め定められた距離に隔てるように構成されているコンタクト部材を具備し、このコンタクト部材は、前記正面部分から前記絶縁プレートより遠い位置で、前記フランジ部分から前記正面部分の側部に平行に延びている、二重チャンバ装置。
【発明の詳細な説明】
【技術分野】
【０００１】
この出願は、２００３年３月１７日に出願された米国仮出願番号６０／４５４、６４４号の利益を求めるものであり、その内容は、全体としてここに組み込まれる。
【０００２】
本出願は、「化学的に基板を処理する処理システムおよび方法（Ｐｒｏｃｅｓｓｉｎｇ  Ｓｙｓｔｅｍ  ａｎｄ  Ｍｅｔｈｏｄ  ｆｏｒ  Ｃｈｅｍｉｃａｌｌｙ  Ｔｒｅａｔｉｎｇ  ａ  Ｓｕｂｓｔｒａｔｅ）」というタイトルの２００３年１１月１２日に出願された出願中の米国特許出願シリアル番号１０／７０５，２００号と、「熱的に基板を処理する処理システムおよび方法（Ｐｒｏｃｅｓｓｉｎｇ  Ｓｙｓｔｅｍ  ａｎｄ  Ｍｅｔｈｏｄ  ｆｏｒ  Ｔｈｅｒｍａｌｌｙ  Ｔｒｅａｔｉｎｇ  ａ  Ｓｕｂｓｔｒａｔｅ）」というタイトルの２００３年１１月１２日に出願された出願中の米国特許出願シリアル番号１０／７０４，９６９号と、「基板を処理する処理システムおよび方法（Ｐｒｏｃｅｓｓｉｎｇ  Ｓｙｓｔｅｍ  ａｎｄ  Ｍｅｔｈｏｄ  ｆｏｒ  Ｔｒｅａｔｉｎｇ  ａ  Ｓｕｂｓｔｒａｔｅ）」というタイトルの２００３年１１月１２日に出願した出願中の米国特許出願シリアル番号１０／７０５，２０１号とに関連する。それら出願の全ての全体の内容は、全体として参照して、ここに組み込まれる。
【０００３】
本発明は、隣接の温度制御された処理チャンバを熱的に絶縁するための方法と装置に関する。
【背景技術】
【０００４】
処理チャンバ、例えば半導体製造において使用されるそれらは、たいてい、運転中、特定の温度に維持されることを必要とする。温度感度が高いプロセスの実施例は、化学的酸化物除去（ＣＯＲ：ｃｈｅｍｉｃａｌ  ｏｘｉｄｅ  ｒｅｍｏｖａｌ）処理および基板熱処理を含む。
【０００５】
ＣＯＲ処理は、１００ナノメートルの以下付近の形態ディメンションを有する基板のエッチングに使用され得る、半導体デバイスの酸化物層のマスクを処理するために使用することができる。ＣＯＲ処理は、酸化物層の表面を、半導体デバイスの化学的に処理された酸化物を処理する、プロセスガスおよび熱にさらすことを含むことができる。
【０００６】
異なる温度で、これらのプロセス（すなわち化学的処理および熱処理）の各々を実行することが望ましい。したがって、これらのプロセスは、異なるチャンバにおいて実行されるだろう。加えて、チャンバの外での半導体デバイスの露出は、処理しているフェーズ間で望ましくないであろう。
【先行技術文献】
【特許文献】
【特許文献１】
特開平１１−２６０８８１号公報
【特許文献２】
特開平５−２１１１３６号公報
【０００７】
本発明は、隣接の温度制御される処理チャンバの熱的に絶縁する新規な方法と装置を、または異なる温度の隣接する処理チャンバを提供する。
【課題を解決するための手段】
【０００８】
二重チャンバ装置は、第１のチャンバおよびインタフェースで第１のチャンバに接続するように構成される第２のチャンバを備えている。第１のチャンバおよび第２のチャンバの各々は、インタフェースに設置される移送開口部を有する。絶縁プレートは、インタフェースにて、第１のチャンバおよび第２のチャンバの１つに設置され、第１のチャンバおよび第２のチャンバが共に接続されたときに、第１のチャンバおよび第２のチャンバが異なる温度で独立して制御できるように、低い熱伝導率を有するように構成されている。加えて、装置は、アラインメントデバイスおよび／または第１のチャンバを第２のチャンバに装着するための装着デバイスを含み得る。実施形態において、絶縁プレートは、テフロン（登録商標）で構成され得る。更に、第１のチャンバは化学的酸化物除去処理チャンバであり得、第２のチャンバは、熱処理チャンバである得る。
【発明を実施するための最良の形態】
【０００９】
本発明は、開示される例示の実施形態を参照して、以下で記載される。
【００１０】
図１は、本発明の実施形態に係る、第２の処理チャンバから熱的に断熱され得る第１の処理チャンバ１０の斜視図である。図２は、本発明の原理に係る図１に示される第１の処理チャンバ１０の側面図であり、図３は、本発明の原理に係る図１および図２に示される第１の処理チャンバ１０の上面図である。図４は、本発明の原理に係る、図１、図２および図３に示される第１の処理チャンバの断面側面図である。示すように、処理チャンバ１０は、第１のチャンバ１０から第２のチャンバへ基板を移送するための基板移送開口部１２を含む。加えて、インタフェースプレート１４は、第２のチャンバと接触するように、少なくとも１つのコンタクト部材１６を提供され、含むことができる。コンタクト部材は、第１のチャンバ１０および第２のチャンバ間の堅固な構造的なコンタクトを維持し、第１のチャンバおよび第２のチャンバ間のコンタクトが最小化されるように、絶縁体プレートよりも、非常に小さい表面積を有し得る。絶縁体プレート２０を含む嵌合デバイス１８（ｍａｔｉｎｇ  ｄｅｖｉｃｅ）は、移送開口部１２周辺で提供される。絶縁プレート２０は、第１のチャンバ１０と第２のチャンバとの間の熱接触を最小化するために、十分に低い伝導率を有する。実施形態において、絶縁プレート２０は、テフロン（登録商標）で構成され得る。他の材料は、ポリイミド、セラミック材料および熱的な絶縁材料例えばアルミナ、石英等を含むことができる。
【００１１】
チャンバ装着デバイス２２は、しっかりと第１のチャンバ１０を第２のチャンバに装着するように提供され得る。図３に示すように、装着デバイス２２は、チャンバ内に形成されたフランジから、第１のチャンバ１０まで固定される。チャンバ装着デバイスは、ピンまたはネジとして示されるけれども、他の装着デバイスもまた、使用されることがあり得ることを、理解しなければならない。例えば、チャンバは、爪クランプまたは他のクランピングデバイスを、例えば使用して、外側から、共に結合され得る。装着デバイス２２に加えて、第１のチャンバ１０が第２のチャンバに、より容易に位置合わせできるように、アラインメントデバイス２４は提供され得る。図１において、アラインメントデバイス２４は、２つのチャンバが適切に位置合わせされることを確実にするように第２のチャンバの孔に、すばやく位置合わせするピンである。ピンとして示されるけれども、当業者はアラインメントのための他の方法が同様に使用されるだろうと従来技術において容易に理解する。例えば、キー（ｋｅｙ）のような構造は、第２のチャンバが第１のチャンバ１０内に合うことを許容するように構成され得る。
【００１２】
図４に示すように、複数のシール２８は、各種コンポーネント間の基本的な気密シールを提供する。気密シールは、各々のチャンバの異なる圧力（真空、大気、上記の大気圧）を容易にすることができる。気密シールは、例えば、エラストマ材料（例えばフルオロシリコーン、ニトリル、フルオロカーボン、シリコーン、合成ゴム、エチレンプロピレン等）を備えることができる。これらの材料は、通常、次の物理的特性に基づく用途で選ばれる：流体に対する抵抗、硬度、耐久性、引張強さ、伸び、Ｏリング圧縮力、モジュラス、耐引き裂き性、摩耗抵抗、体積変化率、圧縮永久歪、熱効果、弾性、劣化、腐食、透磁率、摩擦係数、熱膨張係数、アウトガス率等。加えて、ゲートアダプタープレート３０は、また、移送開口部１２周辺で提供され得る。ゲートバルブアセンブリ２６は、プロセスの間、クリーニングの間、または第１および第２のチャンバが各々から分離されることを必要とすることがあり得るときはいつでも、移送開口部１２を封止（ｓｅａｌ）するように垂直に移動する。
【００１３】
実施形態において、第１のチャンバ１０は、化学的酸化物除去処理チャンバであり得て、そして、したがって、図１で示すように、ゲートバルブアセンブリ２６を含むことができる。加えて、チャンバの内部は、第１のチャンバ１０に対するケースのように、それが化学的酸化物除去処理チャンバである場合には、基本的に排気され得る。更に、図１〜図６に記載されている実施形態で、絶縁プレート２０は、チャンバ間の基本的に気密シールを維持するのを助ける。プロセスの間、チャンバ１０および５０内の環境は、通常、減圧に維持される。それゆえ、外部環境（すなわちチャンバの外の大気圧）に対して、減気圧（真空）を維持するために、チャンバの設計およびアセンブリ、およびそれらの相互接続は、真空完全性が維持されるように、されなければならない。上述の実施形態では、絶縁プレート２０は、それらの相互接続において２つのチャンバを熱的に断熱し、それらの相互接続においてシール面を提供するのに役に立つ。
【００１４】
図５は、本発明の実施形態に係る、第１の処理チャンバ１０から熱的に断熱され得る第２の処理チャンバ５０の斜視図である。図６は、本発明の原理に係る、図５に示される第２の処理チャンバ５０の断面側面図である。第２のチャンバ５０は、第１のチャンバ１０に示されるアラインメントデバイス２４に対応するアラインメント孔５４（ａｌｉｇｎｍｅｎｔ  ｈｏｌｅｓ）を含む。したがって、アラインメントデバイス２４は、アラインメント孔５４に嵌まる。加えて、装着孔５６（ｆａｓｔｅｎｉｎｇ  ｈｏｌｅｓ）は、提供され、第１のチャンバ１０に示される装着デバイス２２を受け入れるように構成される。図７は、第１のチャンバ１０および第２のチャンバ５０間のカップリングを示す。基板移送開口部５２周辺は、シール２８Ａを受け入れるように構成されるシール溝６０であって、絶縁体プレート２０の第１の表面２０Ａに対して押圧されるときに、第２のチャンバ５０と絶縁プレート２０の第１の表面２０Ａとの間の真空シールを提供する。加えて、移送開口部１２周辺は、他のシール２８Ｂを受け入れるように構成されるシール溝２９であって、絶縁プレート２０の第２の表面２０Ｂに対して押圧されるときに、第１のチャンバ１０に接続するインタフェースプレート１４と絶縁プレート２０と間の真空シールを提供する。設計は、真空完全性および構造的完全性が維持されるようになされ、２つのチャンバ１０および５０は、上記の通りで、互いから断熱される。加えて、アタッチメントフランジ５８は、よりしっかりと第１のチャンバ１０を第２のチャンバ５０に装着するために提供され得る（図５を参照）。
【００１５】
代替の実施形態では、図８は、第１のチャンバ１０および第２のチャンバ５０間の他のカップリングを示し、ここで、設計は真空完全性および構造的完全性が維持されるようになされ、２つのチャンバ１０および５０は、互いから断熱される。カップリングは、フランジ部分１１４Ａを有するインタフェースプレート１１４と、正面部分１１４Ｂと、絶縁プレート１２０とを備えている。正面部分１１４Ｂは、ゲートバルブ２６に結合するように、絶縁プレート１２０を介して延伸している。、インタフェースプレート１１４のフランジ部分１１４Ａの周辺は、シール１２８Ａを受け入れるように構成され、かつ絶縁体プレート１２０の第１の表面１２０Ａに対して押圧されるときに、インタフェースプレート１１４および絶縁プレート１２０間の真空シールを提供するシール溝１６０である。基板のための開口部１２の周辺は、シール１２８Ｂを受け入れるように構成され、かつ絶縁体プレート１２０の第２の表面１２０Ｂに対して押圧されるときに、絶縁プレート１２０および第１のチャンバ１０間の真空シールを提供するシール溝１２９である。加えて、基板移送開口部５２の周辺は、シール１２８Ｃを受け入れるように構成され、かつ第２のチャンバ５２に対して押圧されるときに、第２のチャンバ５０およびインタフェースプレート１１４間の真空シールを提供する他のシール溝１３０である。加えて、基板移送開口部１２の周辺は、シール１２８Ｄを受け入れるように構成され、かつインタフェースプレート１１４に対して押圧されるときに、インタフェースプレート１１４およびゲートバルブ２６間の真空シールを提供するシール溝１３１である。インタフェースプレート１１４は、第１のチャンバ１０および第２のチャンバ５０の間で接触するための少なくとも１つのコンタクト部材１１６をさらに備えている。コンタクト部材は、第１のチャンバ１０および第２のチャンバ５０間の堅固な構造的なコンタクトを維持し、第１のチャンバ１０および第２のチャンバ５０の間のコンタクトが最小化されるように、絶縁体プレート１２０より非常に小さい表面積を有することがあり得る。図８に記載されている実施形態において、連続する熱経路は、第２のチャンバ５０、インタフェースプレート１１４およびゲートバルブ２６の間で形成される。しかしながら、第２のチャンバ５０は、絶縁プレート１２０を介して第１のチャンバ１０から断熱される。逆にいえば、図７に記載されている実施形態で、断続的な熱経路は、第２のチャンバ５０、およびインタフェースプレート１１４およびゲートバルブ２６の間で形成される。しかしながら、第２のチャンバ５０は、絶縁プレート１２０を介して第１のチャンバ１０から、まだ断熱される。
【００１６】
実施形態において、第２のチャンバ５０は、熱処理チャンバであり得る。
【００１７】
記載されている実施形態の前述の提示は、いかなる当業者も本発明を利用することができるように提供される。これらの実施形態に対するさまざまな変更態様は、可能であり、ここに示される隣接の温度制御された処理チャンバの熱的に絶縁する一般的な原理は、同様に他の実施形態に適用されることがあり得る。例えば、図１〜図４を通して記載されている構造は、第２のチャンバ５０に設置されることがあり得、図５および図６について記載されているデバイスは、第１のチャンバ１０に設置されることがあり得る。事実、設置のいかなる組合せも、受け入れられる。例えば、アラインメントデバイス２４が第２のチャンバに設置されている間、装着デバイス２２は、第１のチャンバにあり得る。ゲートバルブアセンブリがそうすることができるように、絶縁プレートおよびメーティング装置はまた、チャンバのどちらにでも位置づけられることができる。絶縁プレートおよび嵌合デバイスは、また、ゲートバルブアセンブリがそうすることができるように、チャンバのどちらにでも設置され得る。それで、本発明は、上記の実施形態に限定されていることを目的とするものではなく、しかし、ここにいかなる方法にて開示される特徴の原理および新規性と整合する最も広い範囲を、むしろ、与えられるものである。
【００１８】
明細書、本発明の実施形態の部分を構成し、そこに組み込まれる添付の図面は、上記で与えられた一般的説明および実施形態の詳細な説明と共に、そこにおいて、本発明の原理を説明するために役に立つものである。
【図面の簡単な説明】
【００１９】
【図１】本発明の実施形態に係る、第２の処理チャンバから熱的に断熱され得る第１の処理チャンバの斜視図である。
【図２】本発明の原理に係る、図１に示される第１の処理チャンバの側面図である。
【図３】本発明の原理に係る、図１および２に示される第１の処理チャンバの上面図である。
【図４】本発明の原理に係る、図１、図２および図３に示される第１の処理チャンバの断面側面図である。
【図５】本発明の実施形態に係る、第１の処理チャンバから熱的に断熱され得る第２の処理チャンバの斜視図である。
【図６】本発明の原理に係る、図５に示される第２の処理チャンバの断面側面図である。
【図７】本発明の原理に係る、第１および第２の処理チャンバの断面側面図である。
【図８】本発明の原理に係る、第１および第２の処理チャンバの他の断面側面図である。
【図１】
0004546460.tif 000002
【図２】
0004546460.tif 000003
【図３】
0004546460.tif 000004
【図４】
0004546460.tif 000005
【図５】
0004546460.tif 000006
【図６】
0004546460.tif 000007
【図７】
0004546460.tif 000008
【図８】
0004546460.tif 000009